(57)【特許請求の範囲】
【請求項１】
リフレクタに装着されたバルブ及びこのバルブの前部に設けられた投射レンズを有する投射式灯体と、この投射式灯体を内部に装着し、前面開口部に投射用アウタ−レンズを有する投射式ハウジングと、を設けた投射式灯具と、
リフレクタに装着されたバルブを有する反射式灯体と、この反射式灯体を内部に装着し、前面開口部に反射式用アウタ−レンズを有する反射式ハウジングと、を設けた反射式灯具と、
上記投射式灯具と上記反射式灯具とが取付けられるとともに車両に装着される枠体と、
を備えたことを特徴とする車両用灯具。
【請求項２】
リフレクタに装着されたバルブ及びこのバルブの前部に設けられた投射レンズを有する投射式灯体と、この投射式灯体を内部に装着し、前面開口部に投射用アウタ−レンズを有する投射式ハウジングと、を設けた投射式灯具と、
上記投射式灯具が複数個取付けられるとともに車両に装着される枠体と、
を備えたことを特徴とする車両用灯具。
【請求項３】
投射式用ハウジングは、バルブの種類に対応した複数の形状を有するとともに、枠体に係合する共通の一定形状の取付部を備えたことを特徴とする請求項１又は請求項２記載の車両用灯具。
【請求項４】
反射式用ハウジングは、バルブの種類に対応した複数の形状を有するとともに、枠体に係合する共通の形状の取付部を備えたことを特徴とする請求項１記載の車両用灯具。
【発明の詳細な説明】
【０００１】
【発明の属する技術分野】
この発明は、ハロゲンまたはＨＩＤバルブ（放電バルブ）等を使用した投射式光源と反射式光源又は投射式光源を備えた車両用照明具に関する。
【０００２】
【従来の技術】
図６は従来の投射式光源と反射式光源が共通のハウジング内に装着された４灯式の車両用灯具の左サイドのヘッドライトの正面図、図７は図７のＡ−Ａ断面図である。図において５１はハウジング、５２はハウジング５１の前面を覆って装着された取付けられたアウタ−レンズ、５３、５４はハウジング５１の後部の開口部を覆うキャップであり、ハウジング５１内にはすれ違いビ−ム形成用の投射式灯体１３と走行ビ−ム形成用の反射灯体２４が隣接して設けられている。
【０００３】
投射式灯体１３は複合楕円体又は近似楕円体形状のリフレクタ−１５のバルブの挿着孔にハロゲンバルブ１６が挿着され、リフレクタ−１５の前部には、すれ違いビーム形成用のシエード１７が一体に形成された円筒型のレンズホルダー１８と、このレンズホルダー１８に投射レンズ１９が固定された構造である。
【０００４】
そして、リフレクター１５の第１焦点にハロゲンバルブ１６の発光部が位置し、リフレクター１５の第２焦点であり、投射レンズ１９の後方焦点位置に設けられたシエード１７によってすれ違いビームＢ１となる。
【０００５】
また、反射式灯体２４は、放物面リフレクター２５に設けられたバルブ挿着孔にハロゲンバルブ２６が挿着された構造で、リフレクター２５で反射された平行な光が走行ビームＢ２となる。
【０００６】
【発明が解決しようとする課題】
以上のように構成された従来の投射式灯体１３と反射式灯体２４が共通のハウジング５１内に装着された４灯式ヘッドライトでは、投射式灯体灯１３または反射式灯体２４のみを別の種類のものに変更して交換することはできず、接着され一体となっているハウジング５１、アウターレンズ５２及び投射式灯体１３と反射式灯体２４の全てを交換しなければならなかった。
【０００７】
それは、投射式灯体１３と反射式灯体２４が共通のハウジング５１内に装着され、車両の前面を構成するアウターレンズ５２まで含めた形で灯具として成り立っているからである。
【０００８】
しかし、反射式灯体２４のリフレクタ２５が焼けたり、レンズ面の一部に亀裂が生じた場合、本来はリフレクタが焼けた反射式灯体のみ、または、投射式レンズ１９やアウターレンズ５２に亀裂が生じたことによる投射式灯体１３のみの交換や変更で対応できるものを、その構造上、投射式灯体１３と反射式灯体２４の全体を交換・変更するのでユーザーの負担となっていた。
【０００９】
また、近年増えてきた新しいＨＩＤバルブを使用した投射式灯体１３に変更する場合においても同様に、投射式灯体１３のみの交換でよいのに、投射式灯体１３の取付部が投射式灯体１３の種類により異なり、反射式灯体２４を含めた灯具全体の交換となってしまうという問題があった。
【００１０】
この発明はかかる課題を解決するためになされたものであり、放電バルブの交換または種類等を変更する場合、投射式灯体または反射式灯体を別々に交換することができる車両用灯具を得ることを目的とする。
【００１１】
【課題を解決するための手段】
この発明に係る車両用灯具は、リフレクタに装着されたバルブ及びこのバルブの前部に設けられた投射レンズを有する投射式灯体と、この投射式灯体を内部に装着し、前面開口部に投射用アウタ−レンズを有する投射式ハウジングと、を設けた投射式灯具と、リフレクタに装着されたバルブを有する反射式灯体と、この反射式灯体を内部に装着し、前面開口部に反射式用アウタ−レンズを有する反射式ハウジングと、を設けた反射式灯具と、上記投射式灯具と上記反射式灯具とが取付けられるとともに車両に装着される枠体と、を備える。
【００１２】
リフレクタに装着されたバルブ及びこのバルブの前部に設けられた投射レンズを有する投射式灯体と、この投射式灯体を内部に装着し、前面開口部に投射用アウタ−レンズを有する投射式ハウジングと、を設けた投射式灯具と、上記投射式灯具が複数個取付けられるとともに車両に装着される枠体と、を備える。
【００１３】
また、投射式用ハウジングは、バルブの種類に対応した複数の形状を有するとともに、枠体に係合する共通の一定形状の取付部を備える。
【００１４】
また、反射式用ハウジングは、バルブの種類に対応した複数の形状を有するとともに、枠体に係合する共通の形状の取付部を備える。
【００１５】
【発明の実施の形態】
実施の形態１．
図１はこの発明の実施の形態１である投射式光源と反射式光源が各々別のハウジング内に装着された４灯式灯具の左サイドのヘッドライトの正面図、図２は図１のＡ−Ａ断面図、図３（ａ）は投射式灯体の断面図、図３（ｂ）は投射式灯体の側面図である。図において１はすれ違いビ−ム形成用の投射式灯具、２は投射式灯具１に隣接して設けられた走行ビ−ム形成用の反射式灯具、３は投射式灯具１と反射式灯具２を取付け、車両の前面の左サイドに装着される枠体である。
枠体３は投射式灯具１と反射式灯具２の取付部であるフランジ４、５がネジ６、７で各々取付けられるブラケット８と、投射式灯具１と反射式灯具２の前面の周辺を覆う前面パネル９からなる。
【００１６】
投射式灯具１は前面の開口部が投射用アウターレンズ１０、後部が投射用キャップ１１で覆われ、フランジ４を有するハウジング１２と、このハウジング１２の内部に装着された投射式灯体１３から構成される。
【００１７】
投射式灯体１３は略楕円体形状のリフレクタ−１５の挿着孔にハロゲンバルブ１６が挿着され、リフレクタ−１５の前部には、すれ違いビーム形成用のシエード１７が一体に形成された円筒型のレンズホルダー１８と、このレンズホルダー１８に投射レンズ１９が固定された構造である。
そして、リフレクター１５の第１焦点にハロゲンバルブ１６の発光部が位置し、リフレクター１５の第２焦点であり、投射レンズ１９の後方焦点位置に設けられたシエード１７によってすれ違いビームＢ１となる。
【００１８】
反射式灯具２は前面の開口部が反射用アウターレンズ２１、後部が投射用キャップ２２で覆われ、フランジ５を有するハウジング２３と、このハウジング２３の内部に装着された反射式灯体２４から構成される。
【００１９】
反射式灯体２４は、放物面リフレクター２５に設けられたバルブ挿着孔にハロゲンバルブ２６が挿着された構造で、リフレクター２５で反射された光とアウターレンズ２１によって、又はリフレクター２５で反射された光によって走行ビームＢ２となる。
【００２０】
次に、以上のように構成された車両用灯具の組立及び車両への取付について説明する。
投射式灯具１は、まず、ハウジング１２の前部から投射式灯体１３を挿入し、投射用キャップ１１をはめ、次にアウターレンズ１０をハウジング１２の前面に取り付ける。
反射式灯具２も同様に、ハウジング２３の前部から反射式灯体２４を挿入し、反射用キャップ２２をはめ、次に、アウターレンズ２１をハウジング２３の前面に取り付ける。
【００２１】
次に、ブラケット８を車両の前面に取り付ける。このブラケット８に前方より投射式灯具１を挿入し、フランジ４の取付穴１４を介してネジ６でブラケット８に取り付ける。同様に、ブラケット８に前方より反射式灯具２を挿入し、フランジ５をネジ７でブラケット８に取り付ける。
次に、前面パネル９を投射式灯具１と反射式灯具２の前面の周辺を覆うように取り付ける。
なお、投射式灯具１と反射式灯具２の取付は、あらかじめ投射式灯具１と反射式灯具２をブラケット８に取付け、前面パネル９を取り付けたものを、車両に取り付ける場合もある。
【００２２】
以上の構成の４灯式灯具では投射式灯具の投射式灯体はハロゲンバルブを使用したものを示したが、ＨＩＤバルブを使用した場合、ＨＩＤバルブとハロゲンバルブは形状が異なるので、投射式灯体１３の形状も異なってくる。
図４はＨＩＤバルブを使用した投射式灯体と反射式光源が各々別のハウジング内に装着された４灯式灯具の断面図、図５（ａ）は投射式灯体の断面図、図５（ｂ）は投射式灯体の側面図である。
【００２３】
図において図１〜３と同一または相当部分には、同じ符号を付し、説明を省略する。３１は投射式灯具であり、取付部であるフランジ３２をネジ６でブラケット８に取付ける。
フランジ３２の形状は図２に示したフランジ４と同じであり、取付穴３３の寸法Ｌ３はＬ１と、Ｌ４はＬ２と各々同じである。
【００２４】
投射式灯具３１は前面の開口部が投射用アウターレンズ３３、後部が投射用キャップ３４で覆われたハウジング３５と、このハウジング３５の内部に装着された投射式灯体３６から構成される。
【００２５】
投射式灯体３６はリフレクタ−３７の挿着孔にＨＩＤバルブ３８が挿着され、リフレクタ−３７の前部には、すれ違いビーム形成用のシエード３９が一体に形成された円筒型のレンズホルダー４０と、このレンズホルダー４０に投射レンズ４１が固定された構造である。
【００２６】
次に、以上の構成の車両用灯具において、ハロゲン用の投射式灯具１をＨＩＤ用の投射式灯具３１と交換する場合は、前面パネル９を取り外し、投射式灯具３１をブラケット８からネジ６を外して取り外す。そして、ＨＩＤ用投射式灯具３１をブラケット８に前方より挿入し、取付部のフランジ３２の取付穴３３を介してネジ６でブラケット８に取り付ける。
次に、前面パネル９を投射式灯具１と反射式灯具２の前面の周辺を覆うように取り付ける。
【００２７】
以上のように、投射式灯具及び反射式灯具は、バルブの種類によってハウジングの形状が異なるが、取付部の取付穴及び取付穴間隔を同一にしてあるので、投射式灯体を装着した投射式灯具または反射式灯体を装着した反射式灯具を単体で交換ができる。
【００２８】
上記の実施の形態では、投射式灯具と反射式灯具を備えた４灯式の車両用灯具で説明したが、投射式灯具と反射式灯具を備えた車両用灯具又は投射式灯具のみで構成した車両用灯具でもよい。
【００２９】
【発明の効果】
この発明は、以上のように、リフレクタに装着されたバルブ及びこのバルブの前部に設けられた投射レンズを有する投射式灯体と、この投射式灯体を内部に装着し、前面開口部に投射用アウタ−レンズを有する投射式ハウジングと、を設けた投射式灯具と、リフレクタに装着されたバルブを有する反射式灯体と、この反射式灯体を内部に装着し、前面開口部に反射式用アウタ−レンズを有する反射式ハウジングと、を設けた反射式灯具と、上記投射式灯具と上記反射式灯具とが取付けられるとともに車両に装着される枠体と、を備えたので、投射式灯体を装着した投射式灯具または反射式灯体を装着した反射式灯具を単体で別々に交換や変更をすることができる。
【００３０】
また、リフレクタに装着されたバルブ及びこのバルブの前部に設けられた投射レンズを有する投射式灯体と、この投射式灯体を内部に装着し、前面開口部に投射用アウタ−レンズを有する投射式ハウジングと、を設けた投射式灯具と、上記投射式灯具が複数個取付けられるとともに車両に装着される枠体と、を備えたので、投射式灯体を装着した投射式灯具を単体で別々に交換や変更をすることができる。
【００３１】
また、投射式用ハウジングは、バルブの種類に対応した複数の形状を有するとともに、枠体に係合する共通の一定形状の取付部を備えたので、投射式灯体においてバルブの種類を変更する場合、投射式灯体を装着した投射式灯具のみの交換をすることができる。
【００３２】
また、反射式用ハウジングは、バルブの種類に対応した複数の形状を有するとともに、枠体に係合する共通の形状の取付部を備えたので、反射式灯体においてバルブの種類を変更する場合、反射式灯体を装着した反射式灯具のみの交換をすることができる。
【図面の簡単な説明】
【図１】  この発明の実施の形態である車両用灯具の正面図である。
【図２】  この発明の実施の形態である車両用灯具の断面図である。
【図３】  図２の車両用灯具の投射式灯具断面図及び側面図である。
【図４】  この発明の実施の形態である車両用灯具の断面図である。
【図５】  図３の車両用灯具の投射式灯具断面図及び側面図である。
【図６】  従来の車両用灯具の正面図である。
【図７】  従来の車両用灯具の断面図である。
【符号の説明】
１、３１  投射式灯具、２  反射式灯具、３  枠体、４、５、３２、  フランジ、６、７  ネジ、８  ブラケット、９  前面パネル、１０  投射用アウターレンズ、１２、２３、３５  ハウジング、１３、３６    投射式灯体、１５    リフレクタ−、１６、２６ハロゲンバルブ、２４  反射式灯体、３８  ＨＩＤバルブ。
【図１】
0004165626.tif 000002
【図２】
0004165626.tif 000003
【図３】
0004165626.tif 000004
【図４】
0004165626.tif 000005
【図５】
0004165626.tif 000006
【図６】
0004165626.tif 000007
【図７】
0004165626.tif 000008